(57)【要約】【課題】  帽子から落下する滴が首周りから衣服の内部に入り込む、又は顔につきやすくなることを防止し、帽子に降りそそいだ雨を適切に排水する。【解決手段】  被着する頭形状に形成された帽体と、帽体の全周に亘って延出されるつばと、つば上面の前部周縁に沿って形成される第１の突条と、つば上面の後部周縁に沿って形成され、その端部が帽体の側方で第１の突条の端部と部分的に接触する、又は第１の突条の端部に近接する第２の突条とを備えたことを特徴とする。【選択図】    図１
2012092462.tif 000002
【特許請求の範囲】
【請求項１】
被着する頭形状に形成された帽体と、
前記帽体の全周に亘って延出されるつばと、
前記つば上面の前部周縁に沿って形成される第１の突条と、
前記つば上面の後部周縁に沿って形成され、その端部が前記帽体の側方で前記第１の突条の端部と部分的に接触する、又は前記第１の突条の端部に近接する第２の突条と、
を備えたことを特徴とする帽子。
【請求項２】
請求項１に記載の帽子において、
前記第１の突条の端部と前記第２の突条の端部とが部分的に接触する位置、又は前記第１の突条の端部と前記第２の突条の端部とが近接される位置は、前記帽体の側方で、且つ前記帽体の前後方向において、前記帽体の中心と同位置又は前記帽体の中心よりも後方となることを特徴とする帽子。
【請求項３】
請求項１又は請求項２に記載の帽子において、
前記つばは、前記第１の突条の端部と前記第２の突条の端部とが部分的に接触する位置、又は前記第１の突条の端部と前記第２の突条の端部とが近接される位置の近傍に、凸部を備えていることを特徴とする帽子。
【請求項４】
請求項３に記載の帽子において、
前記凸部は、スナップボタンの雄部品からなり、
前記スナップボタンの前記雄部品は、前記帽体の周面に設けられた前記スナップボタンの雌部品と嵌め合わされることを特徴とする帽子。
【請求項５】
請求項１から請求項４のいずれか１項に記載の帽子において、
前記つばは、中央部分の延出量が最大長さとなり、両端部分の前記延出量が最小長となる形状から構成される芯材を備えていることを特徴とする帽子。
【請求項６】
請求項１から請求項５のいずれか１項に記載の帽子において、
前記第１の突条及び前記第２の突条は、該第１の突条及び前記第２の突条の長手方向に沿って延出する溝を内周面にそれぞれ有することを特徴とする帽子。
【請求項７】
装着する頭形状に形成された帽体と、
前記帽体の全周に亘って延出するつばと、
前記つば上面の前部周縁及び後部周縁に沿って形成され、前記つば上面における雨水の径方向外方への流出を阻止する前部周縁側阻止部及び後部周縁側阻止部と、
前記前部周縁側阻止部の端部と後部周縁側阻止部の端部との間に形成される排水部と、
を備えたことを特徴とする帽子。
【発明の詳細な説明】
【技術分野】
【０００１】
本発明は、雨を防ぐ際に着用する帽子に関する。
【背景技術】
【０００２】
従来、帽子は日差しを遮って頭部保護を目的とする他、降雨の際の雨を防ぐ目的のために被るものである。例えば降雨の際に帽子を被ると、帽子の上面や帽子のつばの部分に降りそそいだ雨は帽子のつばの外周部分から滴となって空気中を落下するが、この落下する滴がユーザの視界を妨げてしまう。このため、帽子から伝わり落ちる雨水を任意の方向に導いて流下させる雨水処理具を帽子のつば部に取り付ける技術（特許文献１参照）や、帽子のつばの所定位置に雨水を排水するための配水管を設ける技術（特許文献２参照）が提案されている。
【先行技術文献】
【特許文献】
【０００３】
【特許文献１】特開２００５−２０６９８２号公報
【特許文献２】実開平６−６４２８号公報
【発明の概要】
【発明が解決しようとする課題】
【０００４】
しかしながら、帽子のつばに雨水処理具を取り付ける技術においては、帽体の前部から延出されたつばの場合を想定していることから、帽子の全周に亘って雨水が滴り落ちるのを防止することができない。このため、帽子から落下する滴が首周りから衣服の内部に入り込む、又は顔につきやすくなる。また、帽子のつばに配水管を設ける場合には、帽子の角度や配水管を取り付ける位置によっては、雨水の排水性に影響がある。
【０００５】
本発明は、帽子から落下する滴が首周りから衣服の内部に入り込む、又は顔につきやすくなることを防止し、帽子に降りそそいだ雨を適切に排水することができるようにした帽子を提供することを目的にする。
【課題を解決するための手段】
【０００６】
上述した課題を解決するために、本発明の帽子は、被着する頭形状に形成された帽体と、前記帽体の全周に亘って延出されるつばと、前記つば上面の前部周縁に沿って形成される第１の突条と、前記つば上面の後部周縁に沿って形成され、その端部が前記帽体の側方で前記第１の突条の端部と部分的に接触する、又は前記第１の突条の端部に近接する第２の突条と、を備えたことを特徴とする。
【０００７】
また、前記第１の突条の端部と前記第２の突条の端部とが部分的に接触する位置、又は前記第１の突条の端部と前記第２の突条の端部とが近接される位置は、前記帽体の側方で、且つ前記帽体の前後方向において、前記帽体の中心と同位置又は前記帽体の中心よりも後方となることが好ましい。
【０００８】
また、前記つばは、前記第１の突条の端部と前記第２の突条の端部とが部分的に接触する位置、又は前記第１の突条の端部と前記第２の突条の端部とが近接される位置の近傍に、凸部を備えていることが好ましい。
【０００９】
この場合、前記凸部は、スナップボタンの雄部品からなり、前記スナップボタンの前記雄部品は、前記帽体の周面に設けられた前記スナップボタンの雌部品と嵌め合わされることが好ましい。
【００１０】
また、前記つばは、中央部分の延出量が最大長さとなり、両端部分の前記延出量が最小長となる形状から構成される芯材を備えていることが好ましい。
【００１１】
また、前記第１の突条及び前記第２の突条は、該第１の突条及び前記第２の突条の長手方向に沿って延出する溝を内周面にそれぞれ有することが好ましい。
【００１２】
また、本発明の帽子は、装着する頭形状に形成された帽体と、前記帽体の全周に亘って延出するつばと、前記つば上面の前部周縁及び後部周縁に沿って形成され、前記つば上面における雨水の径方向外方への流出を阻止する前部周縁側阻止部及び後部周縁側阻止部と、前記前部周縁側阻止部の端部と後部周縁側阻止部の端部との間に形成される排水部と、を備えたことを特徴とする。
【発明の効果】
【００１３】
本発明によれば、帽子から落下する滴が首周りから衣服の内部に入り込む、又は顔につきやすくなることを防止し、帽子に降りそそいだ雨を適切に排水することができる。
【図面の簡単な説明】
【００１４】
【図１】本発明の帽子の外観を示す斜視図である。
【図２】帽子の上面図である。
【図３】スナップボタン３１を留めたときの帽子の外観を示す斜視図である。
【図４】帽子のつば上を流れる雨水の流下方向を示す図である。
【図５】つばの周端の上面から下面に亘って帯状の布材を縫製することで突条を設けた場合の断面図である。
【図６】突条の端部の内周面の形状を、つばの周端に向けて湾曲させた形状とした場合の図である。
【図７】突条の内周面に、突条の長手方向に延出する溝を設けたときの突条及びつばの断面を示す図である。
【図８】突条と突条との間に空隙部を設けずに、突条と突条と接触させる場合の図である。
【発明を実施するための形態】
【００１５】
以下、本発明の一実施形態を図に基づいて説明する。図１は、本発明を用いた帽子の斜視図、図２は帽子の上面図を示す。以下、図中ｘ軸方向が帽子の前後方向、ｙ軸方向が帽子の左右方向、ｚ軸方向が帽子の上下方向として説明する。
【００１６】
帽子１０は、帽体１５、つば１６、あごひも（図示省略）から構成される。この帽子１０は、撥水処理が施されたナイロン等の合成樹脂や綿などの布から形成される。撥水処理としては、フッ素系溶剤を塗布する処理、撥水用フィルムをコーティングする処理などが挙げられる。帽体１５は、上面が閉口された筒形状からなる。帽体１５の形状は、上面が平行された筒形状の他、略三角形に裁断された複数の布片を縫い合わせたドーム形状であってもよい。なお、図示は省略しているが、この帽体１５には、装飾用の帯布などが設けられている。
【００１７】
つば１６は、帽体１５の下方の開口（図示省略）に連なるように、また、帽体１５の全周に亘って帽体１５から延出するように設けられている。このつば１６の前部には、つば１６の前部の変形を抑制するための芯材２１が内包されている。この芯材２１は、例えばポリウレタンなどの合成樹脂から形成される。この心材２１は、帽体１５の外周形状に沿った曲線と、帽体１５の外周部分からつば１６の周端に向けて突出する曲線との２つの曲線を組み合わせた形状からなる。つまり、芯材２１は、ｙ方向の中央部分におけるｘ方向の延出量が最大長となり、ｙ方向の両端部分におけるｘ方向の延出量が最小長（本実施形態では突出量は０）となるように形成される。この芯材２１は、例えば帽体１５からつば１６の外周端までの長さをＬとすると、ｙ方向の中央部分におけるｘ方向の延出量Ｌｂは２／３Ｌ≦Ｌｂ≦Ｌとなるように形成される。これにより、つば１６を拡げたときには、つば１６前部の変形を最小限に抑えることができる。なお、芯材２１の形状は、ｙ方向の中央部分におけるｘ方向の延出量が最大長さとなり、ｙ方向の両端部分におけるｘ方向の延出量が最小の長さとなるような形状であれば、上述した形状に限定される必要はない。
【００１８】
上述したつば１６の上面には、つば１６の前部周縁に沿った帯状の突条（前部周縁側阻止部）２４と、つば１６の後部周縁に沿った突条（後部周縁側阻止部）２５とが設けられる。これら突条２４，２５は、その両端部がつば１６の周縁に連なるように外側に屈曲する。また、突条２５の端部のそれぞれは、突条２４の端部のそれぞれに近接する位置に設けられる。つまり、突条２４の端部と突条２５の端部との間には、それぞれ所定の間隔を空けた排水部を構成する空隙部２６，２７が形成される。これら空隙部２６，２７は、上述した突条２４又は突条２５に沿って流れる雨水を排水するために設けられている。
【００１９】
これら空隙部２６，２７は、ｘ方向における位置が、被着する頭部の中心（言い換えれば帽体１５の中心Ｃ）と同一位置又は帽体１５の中心Ｃよりも後方となる位置に設けられることが好ましい。なお、図２においては、空隙部２６，２７のｘ方向における位置が、帽体１５の中心Ｃよりも後方となる位置となる場合について記載している。
【００２０】
突条２４の端部と突条２５の端部とが近接する位置、言い換えれば、空隙部２６，２７には、スナップボタン３１の雄部品３１ａ、スナップボタン３２の雄部品３２ａがそれぞれ形成される。なお、スナップボタン３１の雄部品３１ａ、スナップボタン３２の雄部品３２ａは、突条２４又は突条２５の延長上の領域（二点差線で囲まれる領域２８，２９）内に入り込むようにつば１６に形成される。
【００２１】
このスナップボタン３１の雄部品３１ａは、帽体１５の周面に設けられたスナップボタン３１の雌部品３１ｂに、スナップボタン３２の雄部品３２ａは帽体１５の周面に設けられたスナップボタン３２の雌部品３２ｂにそれぞれ嵌合される。例えばスナップボタン３１を留めると、上述したように、スナップボタン３１の雄部品３１ａと雌部品３１ｂとが嵌合されるので、つば１５の図３中右側部が折り畳まれた状態で保持される（図３参照）。同様にして、スナップボタン３２を留めると、スナップボタン３２の雄部品３２ａと雌部品３２ｂが嵌合されるので、つば１５の図３中左側部が折り畳んだ状態で保持される（図示省略）。
【００２２】
つまり、本実施形態の帽子１５を使用する場合、晴天であればスナップボタン３１，３２をそれぞれ留めた状態、或いはスナップボタン３１，３２をそれぞれ外した状態の双方で使用することが可能であり、雨天であればスナップボタン３１，３２をそれぞれ外した状態で使用することになる。
【００２３】
雨天時で帽子を使用する場合、スナップボタン３１，３２はそれぞれ外された状態となる。上述したように、つば１６の前部のみに芯材２１が内包されていることから、芯材２１が内包されていない部分の変形は大きく、芯材２１が内包されたつば１６の前部は、芯材２１が内包されていない部分の変形を受けるだけで、芯材２１が内包されていない部分の変形よりも小さい。このため、帽子１０の前面に降りそそいだ雨水が帽体１５からつば１６の前部まで流れた後、その過程で芯材２１の内包されていない箇所、又は芯材２１の内包されている箇所を流れ、つば１６の周縁部に設けられた突条２４まで到達する。そして、突条２４まで到達した雨水は、突条２４によって流れる方向が変化し、突条２４に沿って、空隙部２６又は空隙部２７に向けて流れる。
【００２４】
突条２４の端部及び突条２５の端部は、つば１６の周縁に向けて湾曲した形状であることから、突条２４又は突条２５の形状に沿って流れた雨水は、空隙部２６，２７からつば１６の下部に落下する。なお、空隙部２６の近傍にはスナップボタン３１の雄部品３１ａが、空隙部２７の近傍にはスナップボタン３２の雄部品３２ａがそれぞれ設けられている。突条２４又は突条２５に沿って流れる雨水は、スナップボタン３１の雄部品３１ａ又はスナップボタン３２の雄部品３２ａのいずれかに衝突する。これにより、突条２４又は突条２５に沿って流れる雨水が強い場合であっても、その勢いを抑制でき、帽子１０に振りそそいだ雨水を、スムーズに且つ確実に、帽子１０から排水することができる。なお、空隙部２６，２７は、ｘ方向において帽体１５の中心と同位置、又は帽体１５の中心よりも後方の位置に設けられることから、空隙部２６，２７から落下する雨水は使用者の肩に落下する。これによれば、雨天の際に帽子１０に降りそそぐ雨水を顔に付着させることを防止でき、また、首周りから服（雨具）の内部に進入させることを防止することができる。
【００２５】
本実施形態では、芯材２１をつば１６の前部に当たる部分にのみに内包した場合について説明しているが、つばの前部だけでなく、つばの後部に芯材を内包させることも可能である。この場合、つばの両側部のみを変形させることになるので、帽子に振りそそぐ雨水をより確実につばの両側部（突条と突条との間に設けた空隙部）に向けて流すことができる。
【００２６】
本実施形態では、帯状の布片を、つば１６の上面の周縁部に、且つ、つば１６の周縁に沿って縫製することで、突条２４，２５を設けた実施形態としているが、これに限定される必要はなく、例えば、図５に示すように、つば４０の周縁部を、上面から下面にかけて帯状の布片４１で被覆した状態となるように、帯状の布片４１をつば４０の周端部に縫製することで、つば４０の上面に形成される壁部Ｋを有する突条を形成することも可能である。以下、つば４０の前部の突条を符号４１ａ、つば４０の前部の突条を符号４１ｂとして説明する。
【００２７】
この場合、突条４１ａ、４１ｂにおける端部の形状は、内周面がつば４０の周端に向けて湾曲した形状であることが好ましい。内周面がつば４０の周端に向けて湾曲した形状としては、例えば突条４１ａ，４１ｂを上面から視認した場合に、それら内周面がＲ形状（図６参照）、楕円弧形状など、空隙部４２に向けて突条４１ａ，４１ｂの端部が、先端に行くほど幅が狭くなる形状であればよい。
【００２８】
また、この場合、帯状の布片４１をつば４０の上面に、且つつば４０の周縁に沿って縫製することで突条４１ａ，４１ｂを設けた場合について説明し、突条４１ａ，４１ｂの形状の詳細については、詳細を省略している。この突条の形状としては、例えば、突条の内周面に、突条の長手方向に延出する溝を設けた形状としても良い。図７に示すように、例えば幅Ｎ１となる帯状の布片４５と、幅Ｎ２（Ｎ２＞Ｎ１）となる帯状の布片４５，４６を、つば４７側から、布片４５、布片４６の順に、且つ布片４５，４６の外周面が同一面となるように、それぞれの布片４５，４６を積層し、それぞれの布片４５，４６をつば４７に縫製する。これにより、長手方向に延出する溝４９を内周面に備えた突条４８が形成される。このような溝４９を内周面に備えた突条４８を突条２４及び突条２５として設けることで、一定量の雨水であれば、突条から雨水が溢れることなく、突条の内周面に設けられた溝に沿って雨水を案内することができる。
【００２９】
本実施形態では、突条２４の両端部及び突条２５の両端部の間に所定の間隔を空けることで、空隙部２６，２７を設けているが、必ずしも空隙部２６，２７を設ける必要はない。図８に示すように、突条５１の内周面がつば５０の周端に連なる点Ｐ１と、突条５２の内周面がつば５０の周端に連なる点Ｐ２とを一致させるように、突条５１，５２を設けることも可能である。この場合、つば５０の上面を流れる雨水は突条５１又は突条５２に沿って流れ、この突条５１及び突条５２が接触する箇所まで到達する。この場合、空隙部は発生していないが、この突条５１及び突条５２が接触する部分に雨水が溜まることで、雨水が該部分から溢れ出る。この場合、突条５１及び突条５２が接触している部分を、ｘ方向において帽体の中心と同一位置、又は帽体の中心よりも後方の位置とすることで、突条５１及び突条５２が接触している部分から溢れた雨水は、そのままつば５０から落下する。なお、落下する場所は、使用者の肩付近となるので、雨水により顔を濡らすことはないし、首周りから服の内部への雨水の浸入を防ぐことができる。なお、突条５１と突条５２とを接触させるだけでなく、突条５１と突条５２とを重畳させることも可能である。
【００３０】
本実施形態では、帯状の布片をつばの上面に縫製することで突条を形成しているが、帯状の布片を縫製する必要はなく、例えば撥水処理された紐や棒状のゴム片を、つばの上面に、且つつばの周端部に沿って固着させることも可能である。
【００３１】
更に、凹条部で構成される阻止部を有する布片を、つばの前部周縁及び後部周縁に沿って固着し、該布片の端部との間に空隙部からなる排水部を形成してもよい。
【００３２】
本実施形態では、スナップボタン３１，３２の雄部品３１ａ，３２ａを空隙部２６，２７の近傍に設けることで、空隙部に向けて流れる雨水の勢いを抑えるようにしているが、これに限定する必要はない。つまり、スナップボタンを用いない帽子の場合には、金属製、或いは合成樹脂製の凸部を、空隙部近傍に設ければよい。
【００３３】
本実施形態では、空隙部を左右側部にそれぞれ１箇所、計２箇所設けた場合について説明しているが、空隙部の数は、これに限定される必要はなく、例えば、スナップボタンを留めている場合に降雨となる場合には、スナップボタンを外せない場合もあることから、スナップボタンを留めたときにつばが折り曲げられる箇所に、さらに空隙部を設けることも可能である。
【符号の説明】
【００３４】
１０…帽子、１５…帽体、１６，４０，４７，５０…つば、２１…芯材、２４，２５，４１ａ，４１ｂ，４８，５１，５２…突条（阻止部）、２６，２７…空隙部（排水部）、４９…溝
【図１】
2012092462.tif 000003
【図２】
2012092462.tif 000004
【図３】
2012092462.tif 000005
【図４】
2012092462.tif 000006
【図５】
2012092462.tif 000007
【図６】
2012092462.tif 000008
【図７】
2012092462.tif 000009
【図８】
2012092462.tif 000010